(57)【要約】発光装置（１００）は、透光部（２５）を有する筐体（２０）と、透光部（２５）に対向する矩形状の発光部（Ｒ１０）および発光部（Ｒ１０）の外側に形成された非発光部を含む面発光素子（１０）と、電子機器（３１）とを備える。上記非発光部は、表面に電極が設けられた可撓性を有する外縁部（Ｒ１３）を含む。外縁部（Ｒ１３）は、上記電極とともに発光部（Ｒ１０）の発光面（Ｓ１）から遠ざかる方向に折り曲げられている。上記電極は、発光部（Ｒ１０）と電子機器（３１）とを電気的に接続している。
2014192544.tif 000002
【特許請求の範囲】
【請求項１】
透光部を有する筐体と、
前記透光部に対向する矩形状の発光部、および、前記発光部の外側に形成された非発光部を含み、前記筐体内に配置された面発光素子と、
前記筐体内に配置された電子機器と、を備え、
前記非発光部は、表面に電極が設けられた可撓性を有する外縁部を含み、
前記外縁部は、前記電極とともに前記発光部の発光面から遠ざかる方向に折り曲げられており、
前記電極は、前記発光部と前記電子機器とを電気的に接続している、
発光装置。
【請求項２】
前記発光部は、可撓性を有し、前記透光部の内周面の形状に沿うように折り曲げられている、
請求項１に記載の発光装置。
【請求項３】
前記電極は、陽極用電極と陰極用電極とを含み、
前記外縁部は、前記陽極用電極が設けられた第１外縁部と、前記陰極用電極が設けられた第２外縁部と、を含む、
請求項１または２に記載の発光装置。
【請求項４】
前記第１外縁部には、他の前記陰極用電極がさらに設けられ、
前記第２外縁部には、他の前記陽極用電極がさらに設けられる、
請求項３に記載の発光装置。
【請求項５】
前記第１外縁部および前記第２外縁部は、前記発光部を挟んで互いに反対側に位置している、
請求項３または４に記載の発光装置。
【請求項６】
前記外縁部は、前記外縁部の前記表面のうちの前記電極が設けられていない部分に少なくとも１つの第１固定部を有し、
前記外縁部は、前記第１固定部を介して前記筐体に対して固定されている、
請求項１から５のいずれか１項に記載の発光装置。
【請求項７】
前記外縁部は、前記外縁部の前記表面のうちの前記電極が設けられている部分に少なくとも１つの第２固定部を有し、
前記外縁部が前記第２固定部を介して前記電子機器に固定されることにより、前記電極は前記電子機器に電気的に接続される、
請求項１から６のいずれか１項に記載の発光装置。
【請求項８】
矩形状の発光部と、
前記発光部の外側に形成された非発光部とを備え、
前記非発光部は、可撓性を有する外縁部を含み、
前記外縁部の表面には、前記外縁部とともに前記発光部の発光面から遠ざかる方向に折り曲げられた状態で、前記発光部と電子機器とを電気的に接続する電極が設けられている、
面発光素子。
【請求項９】
前記電極は、陽極用電極と陰極用電極とを含み、
前記外縁部は、前記陽極用電極が設けられた第１外縁部と、前記陰極用電極が設けられた第２外縁部と、を含む、請求項８に記載の面発光素子。
【請求項１０】
前記第１外縁部には、他の前記陰極用電極がさらに設けられ、
前記第２外縁部には、他の前記陽極用電極がさらに設けられる、
請求項９に記載の面発光素子。
【請求項１１】
前記第１外縁部および前記第２外縁部は、前記発光部を挟んで互いに反対側に位置している、
請求項９または１０に記載の面発光素子。
【発明の詳細な説明】
【技術分野】
【０００１】
本発明は、面発光素子および発光装置に関し、特に、可撓性を有する面発光素子、およびそのような面発光素子を備えた発光装置に関する。
【背景技術】
【０００２】
特開２００７−３１１０４４号公報（特許文献１）および特許第４７１７９４６号（特許文献２）に開示されているように、有機ＥＬ等の面発光素子を発光光源として備えた発光装置が知られている。一般的な面発光素子においては、発光部に給電するための電極等を設ける箇所（配線箇所）を確保したり、発光部を封止部材で覆ったりするために、発光部の外周には非発光部が形成される。
【先行技術文献】
【特許文献】
【０００３】
【特許文献１】特開２００７−３１１０４４号公報
【特許文献２】特許第４７１７９４６号
【発明の概要】
【発明が解決しようとする課題】
【０００４】
従来の面発光素子の構造および配置構造では、非発光部の存在に起因して、面発光素子を狭いスペース内に配置することが難しい場合があった。【０００５】
本発明は、より狭いスペース内に容易に配置することが可能な面発光素子、およびそのような面発光素子を備えた発光装置を提供することを目的とする。
【課題を解決するための手段】
【０００６】
本発明の一側面に沿う発光装置は、透光部を有する筐体と、上記透光部に対向する矩形状の発光部、および、上記発光部の外側に形成された非発光部を含み、上記筐体内に配置された面発光素子と、上記筐体内に配置された電子機器と、を備え、上記非発光部は、表面に電極が設けられた可撓性を有する外縁部を含み、上記外縁部は、上記電極とともに上記発光部の発光面から遠ざかる方向に折り曲げられており、上記電極は、上記発光部と上記電子機器とを電気的に接続している。【０００７】
本発明の他の側面に沿う面発光素子は、矩形状の発光部と、上記発光部の外側に形成された非発光部とを備え、上記非発光部は、可撓性を有する外縁部を含み、上記外縁部の表面には、上記外縁部とともに上記発光部の発光面から遠ざかる方向に折り曲げられた状態で、上記発光部と電子機器とを電気的に接続する電極が設けられている。
【図面の簡単な説明】
【０００８】
【図１】実施の形態１における発光装置の分解した状態を示す斜視図である。
【図２】図１中のＩＩ−ＩＩ線に沿った矢視断面図である。
【図３】図２中のＩＩＩ線に囲まれた領域を拡大して示す断面図である。
【図４】実施の形態１における発光装置に備えられる面発光素子を示す平面図である。
【図５】図４中のＶ−Ｖ線に沿った矢視断面図である。
【図６】図４中のＶＩ−ＶＩ線に沿った矢視断面図である。
【図７】実施の形態２における発光装置の一部を示す斜視図である。
【図８】実施の形態２における発光装置に備えられる面発光素子を示す平面図である。
【図９】実施の形態の第１変形例における面発光素子を示す平面図である。
【図１０】実施の形態の第２変形例における面発光素子を示す平面図である。
【図１１】実施の形態の第３変形例における面発光素子を示す平面図である。
【図１２】実施の形態の第４変形例における面発光素子を示す平面図である。
【図１３】実施の形態の第５変形例における面発光素子を示す平面図である。
【図１４】実施の形態の第６変形例における面発光素子を示す平面図である。
【図１５】実施の形態の第７変形例における面発光素子を示す平面図である。
【図１６】実施の形態の第８変形例における面発光素子を示す平面図である。
【図１７】実施の形態の第９変形例における面発光素子を示す平面図である。
【図１８】実施の形態の第１０変形例における面発光素子を示す平面図である。
【図１９】実施の形態の第１１変形例における面発光素子を示す平面図である。
【図２０】実施の形態の第１２変形例における面発光素子を示す平面図である。
【図２１】実施の形態の第１３変形例における面発光素子を示す平面図である。
【図２２】実施の形態の第１４変形例における面発光素子を示す平面図である。
【図２３】実施の形態の第１５変形例における面発光素子を示す平面図である。
【図２４】実施の形態の第１６変形例における面発光素子を示す平面図である。
【発明を実施するための形態】
【０００９】
本発明に基づいた各実施の形態について、以下、図面を参照しながら説明する。各実施の形態の説明において、個数および量などに言及する場合、特に記載がある場合を除き、本発明の範囲は必ずしもその個数およびその量などに限定されない。各実施の形態の説明において、同一の部品および相当部品に対しては、同一の参照番号を付し、重複する説明は繰り返さない場合がある。
【００１０】
［実施の形態１］
（発光装置１００）
図１は、本実施の形態における発光装置１００の分解した状態を示す斜視図である。図２は、図１中のＩＩ−ＩＩ線に沿った矢視断面図である。図３は、図２中のＩＩＩ線に囲まれた領域を拡大して示す断面図である。図１に示すように、発光装置１００は、面発光素子１０、筐体２０、表示ユニット３０、電子基板３１（電子機器）、内蔵機器３２および固定具４０を備える。筐体２０は、カバー２１および収容部２２を含む。
【００１１】
カバー２１は、ガラスまたはアクリル樹脂などの透明性を有する部材である。収容部２２は、底パネル２３および周壁２４を有する。底パネル２３は、たとえば金属製の部材である。底パネル２３には、螺合穴２３Ｔが設けられている。周壁２４は、底パネル２３の周縁に沿って環状に設けられ、この周縁から起立している。周壁２４の一部には、透光部２５（図１〜図３参照）が設けられる。透光部２５は、ガラスまたはアクリル樹脂などの透明性の部材から形成される。周壁２４の全部がガラスまたはアクリル樹脂などの透明性の部材から形成されていてもよい。
【００１２】
カバー２１は、周壁２４の上方側の開口を塞ぐように周壁２４に固定される。筐体２０内には、中空の収容空間が形成されている。面発光素子１０、電子基板３１、内蔵機器３２および固定具４０は、筐体２０の内部（上記の収容空間内）に配置される。電子基板３１は、各種の配線パターンおよび駆動回路等を有している。内蔵機器３２は、バッテリー等を含んでいる。
【００１３】
（面発光素子１０）
図４は、面発光素子１０を示す平面図である。図５は、図４中のＶ−Ｖ線に沿った矢視断面図である。図６は、図４中のＶＩ−ＶＩ線に沿った矢視断面図である。本実施の形態の面発光素子１０は、有機ＥＬ素子を用いて作製される。面発光素子１０は、透明基板１１、陽極１２、正孔輸送層１３、有機層１４、電子輸送層１５、陰極１６、および封止部材１７を含む。
【００１４】
陽極１２、正孔輸送層１３、有機層１４、電子輸送層１５、および陰極１６は、透明基板１１の裏面上に順次積層される。透明基板１１の表面は、面発光素子１０としての表面１１Ｓを形成している。表面１１Ｓには、発光面Ｓ１および非発光面Ｓ２，Ｓ３が形成される（詳細は後述する）。封止部材１７の表面は、面発光素子１０としての背面１７Ｓを形成している。
【００１５】
透明基板１１は、たとえばＰＥＴ（Polyethylene  Terephthalate）またはポリカーボネイト等のフィルム基板から作製される。陽極１２は、透明性を有する導電膜である。陽極１２は、ＩＴＯ（Indium  Tin  Oxide：インジウム錫酸化物）等から形成される。正孔輸送層１３は、陽極１２から有機層１４に正孔を供給するための層である。電子輸送層１５は、陰極１６から有機層１４に電子を供給するための層である。
【００１６】
有機層１４は、電力を供給されることによって光を生成する。陰極１６は、アルミニウム（ＡＬ）等から作製される。陰極１６は、陽極１２、正孔輸送層１３、有機層１４、および電子輸送層１５を覆うように形成される。封止部材１７は、絶縁性を有する樹脂等から作製される。封止部材１７は、有機層１４等を保護する。封止部材１７は、陽極１２、正孔輸送層１３、有機層１４、電子輸送層１５、および陰極１６の略全体を透明基板１１上に封止する。
【００１７】
陽極１２（ＩＴＯ膜）の一部は、電気的な接続のために封止部材１７から露出している（図４および図６参照）。陽極１２のうちの封止部材１７から露出している部分は、陽極用の電極取出部１８（図６参照）を構成している。陰極１６（ＡＬ膜）の一部も、電気的な接続のために封止部材１７から露出している（図４および図６参照）。陰極１６のうちの封止部材１７から露出している部分は、陰極用の電極取出部１９（図６参照）を構成している。なお、図４中のＶＩ´−ＶＩ´線に沿った位置における矢視断面図においては、図６の左右が反転した状態で陽極１２（ＩＴＯ膜）の一部と陰極１６（ＡＬ膜）の一部とが封止部材１７から露出するように構成されている。
【００１８】
以上のように構成される面発光素子１０においては、発光部Ｒ１０および非発光部Ｒ１１，Ｒ１２が構成される。発光部Ｒ１０は、発光手段として機能する部位であり、発光部Ｒ１０の外縁形状は、有機層１４が形成されている部分のうちの陽極１２および陰極１６に挟まれた部分の外縁形状に対応し、本実施の形態の発光部Ｒ１０の外縁形状（図４中の点線で示す部分）は、矩形状を有している。非発光部Ｒ１１，Ｒ１２は、発光部Ｒ１０の両外側にそれぞれ位置する部分である。
【００１９】
発光部Ｒ１０の透明基板１１側の表面は、発光面Ｓ１を形成している。有機層１４で生成された光は、主として発光面Ｓ１を通して外部に放射される。発光面Ｓ１も、略矩形状を有している。非発光部Ｒ１１の透明基板１１側の表面は、非発光面Ｓ２を形成しており、非発光部Ｒ１２の透明基板１１側の表面は、非発光面Ｓ３を形成している。非発光面Ｓ２，Ｓ３は、有機層１４で光が生成されたとしても、ほとんど光らない部分である。
【００２０】
本実施の形態においては、透明基板１１の一部に、可撓性を有する外縁部Ｒ１３，Ｒ１４が設けられている。外縁部Ｒ１３，Ｒ１４は、発光部Ｒ１０が形成されている部分から外方に向かって片状に延在する形状を有している。図４および図６を参照して、外縁部Ｒ１３（Ｒ１３ａ），Ｒ１３（Ｒ１３ｂ）は、非発光部Ｒ１１に含まれる部位であり、外縁部Ｒ１４（Ｒ１４ａ），Ｒ１４（Ｒ１４ｂ）は、非発光部Ｒ１２に含まれる部位である。
【００２１】
封止部材１７から露出している陽極用の電極取出部１８（陽極用電極）は、外縁部Ｒ１３（Ｒ１３ａ）の表面および外縁部Ｒ１４（Ｒ１４ｂ）の表面にそれぞれ設けられている。封止部材１７から露出している陰極用の電極取出部１９（陰極用電極）は、外縁部Ｒ１３（Ｒ１３ｂ）の表面および外縁部Ｒ１４（Ｒ１４ａ）の表面にそれぞれ設けられている。図４からも明らかなように、本実施の形態においては、封止部材１７の同一の側、たとえば図４の上側において陽極用の電極取出部１８と陰極用の電極取出部１９とが露出するように設けられている。一方、封止部材１７の他方の側、たとえば図４の下側において陰極用の電極取出部１９と陽極用の電極取出部１８とが露出するように設けられている。しかしながら、このような構成は必須ではなく、たとえば図４の上側において陽極用の電極取出部１８，１８が露出するように設けられ、図４の下側において陰極用の電極取出部１９，１９が露出するような構成が採用されても構わない。これは、後述する各変形例においても同様である。
【００２２】
外縁部Ｒ１３（Ｒ１３ａ），Ｒ１３（Ｒ１３ｂ）には、これを電子基板３１（図１〜図３参照）に固定するための貫通孔１３Ｈ（固定部）も設けられている。貫通孔１３Ｈは、これらの外縁部のうちの電極取出部１８，１９が設けられている部分の内側で貫通するように設けられている（図６参照）。外縁部Ｒ１４（Ｒ１４ａ），Ｒ１４（Ｒ１４ｂ）には、これを電子基板３１（図１〜図３参照）に固定するための貫通孔１４Ｈ（固定部）も設けられている。貫通孔１４Ｈも、これらの外縁部のうちの電極取出部１８，１９が設けられている部分の内側で貫通するように設けられている（図６参照）。
【００２３】
図１〜図３を再び参照して、以上のように構成される面発光素子１０は、周壁２４（透光部２５）の内周面の形状に沿って延びるように配置され、発光部Ｒ１０の発光面Ｓ１は透光部２５に対向するように配置される。外縁部Ｒ１３（Ｒ１３ａ），Ｒ１３（Ｒ１３ｂ）は、これらの表面に形成された電極取出部１８，１９（図４参照）とともに発光面Ｓ１から遠ざかる方向に折り曲げられており、電子基板３１の上面側に配置されている。外縁部Ｒ１４（Ｒ１４ａ），Ｒ１４（Ｒ１４ｂ）は、これらの表面に形成された電極取出部１８，１９（図４参照）とともに発光面Ｓ１から遠ざかる方向に折り曲げられており、電子基板３１の下面側に配置されている。
【００２４】
外縁部Ｒ１３（Ｒ１３ａ），Ｒ１４（Ｒ１４ａ）は、電子基板３１をその上下面から挟み込むようにして配置されている。固定具４０は、貫通孔１３Ｈ，１４Ｈ（図４参照）を通して螺合穴２３Ｔに螺合しており、外縁部Ｒ１３（Ｒ１３ａ），Ｒ１４（Ｒ１４ａ）を電子基板３１に固定している。同様に、外縁部Ｒ１３（Ｒ１３ｂ），Ｒ１４（Ｒ１４ｂ）も、電子基板３１をその上下面から挟み込むようにして配置されている。固定具４０は、貫通孔１３Ｈ，１４Ｈ（図４参照）を通して螺合穴２３Ｔに螺合しており、外縁部Ｒ１３（Ｒ１３ｂ），Ｒ１４（Ｒ１４ｂ）を電子基板３１に固定している。
【００２５】
各外縁部に形成された電極取出部１８，１９は、固定具４０によってこれらの各外縁部が電子基板３１に固定された状態において、電子基板３１上に形成された配線パターンに電気的に接続されている。電気的な接続のためには、電極取出部１８，１９を電子基板３１上に形成された配線パターンに対して固定具４０を用いて直接押圧するように構成してもよいし、配線部材またははんだ等を別途用いてこれらを接続してもよい。当該接続によって、発光部Ｒ１０の有機層１４は、電子基板３１上に形成された配線パターンに電気的に接続される。本実施の形態の発光装置１００および面発光素子１０は、以上のように構成される。
【００２６】
本実施の形態の発光装置１００においては、カバー２１および底パネル２３の間の狭いスペース内に面発光素子１０が配置されている。有機層１４に給電する箇所を確保するために設けられる外縁部Ｒ１３，Ｒ１４（非発光部の一部）は、カバー２１および底パネル２３に沿って折り曲げられている。発光装置１００においては、透光部２５に対向する発光部Ｒ１０の発光面Ｓ１の面積をできるだけ大きく確保することができ、さらに、外縁部Ｒ１３，Ｒ１４の柔軟性を活用して、面発光素子１０を電子基板３１上の配線パターンに容易に配線することが可能となっている。
【００２７】
［実施の形態２］
図７は、本実施の形態における発光装置１０１の一部を示す斜視図である。図８は、発光装置１０１に備えられる面発光素子１０Ａを示す平面図である。図７を参照して、発光装置１０１に用いられる筐体の周壁２４は、透光部２５ａ，２５ｂ，２５ｃを含んでいる。透光部２５ａ，２５ｂ，２５ｃは、いずれも透明性を有している。透光部２５ａおよび透光部２５ｂは、平板状の形状を有し、透光部２５ｃは、これらの間に設けられ、湾曲している。
【００２８】
図８を参照して、本実施の形態の面発光素子１０Ａは、発光部Ｒ１０ａ，Ｒ１０ｂ，Ｒ１０ｃを含んでおり、少なくとも発光部Ｒ１０ｃは可撓性を有するように構成されている。発光部Ｒ１０ａ，Ｒ１０ｂ，Ｒ１０ｃの全部が可撓性を有していてもよい。面発光素子１０Ａは、図７に示すように発光部Ｒ１０ｃが湾曲した状態で配置される。発光部Ｒ１０ａ，Ｒ１０ｂ，Ｒ１０ｃは、互いに連続して形成されており、面発光素子１０Ａが湾曲していない状態においては、図８に示すように矩形状の外形形状を有している。
【００２９】
面発光素子１０Ａは、透光部２５ａ，２５ｂ，２５ｃの内周面の形状に沿うように折り曲げれる。具体的には、発光部Ｒ１０ａ，Ｒ１０ｂは、透光部２５ａ，２５ｂの内周面の形状に沿って平板状に配置される。発光部Ｒ１０ａの発光面Ｓ１ａは透光部２５ａに正対し、発光部Ｒ１０ｂの発光面Ｓ１ｂは透光部２５ｂに正対する。発光部Ｒ１０ｃは、透光部２５ｃの内周面の形状に沿うように折り曲げられる。発光部Ｒ１０ｃの発光面Ｓ１ｃは、湾曲した状態で透光部２５ｃに対向する。
【００３０】
外縁部Ｒ１３（Ｒ１３ａ）は、この表面に形成された電極取出部（図示せず）とともに発光面Ｓ１ａから遠ざかる方向に折り曲げられており、電子基板３１の一方の面側に配置されている。外縁部Ｒ１３（Ｒ１３ｂ）は、この表面に形成された電極取出部（図示せず）とともに発光面Ｓ１ｂから遠ざかる方向に折り曲げられており、電子基板３１の一方の面側に配置されている。
【００３１】
外縁部Ｒ１３（Ｒ１４ａ）は、この表面に形成された電極取出部（図示せず）とともに発光面Ｓ１ｂから遠ざかる方向に折り曲げられており、電子基板３１の他方の面側に配置されている。外縁部Ｒ１３（Ｒ１４ｂ）は、この表面に形成された電極取出部（図示せず）とともに発光面Ｓ１ｂから遠ざかる方向に折り曲げられており、電子基板３１の他方の面側に配置されている。
【００３２】
外縁部Ｒ１３，Ｒ１４は、電子基板３１をその上下面から挟み込むようにして配置され、図示しない固定具によって電子基板３１上に固定されている。各外縁部に形成された電極取出部は、電子基板３１上に形成された配線パターンに電気的に接続されている。当該接続によって、各発光部の有機層は、電子基板３１上に形成された配線パターンに電気的に接続される。
【００３３】
本実施の形態の発光装置１０１においても、狭いスペース内に面発光素子１０Ａを配置することができる。有機層に給電する箇所を確保するために設けられる外縁部Ｒ１３，Ｒ１４（非発光部の一部）は、折り曲げられている。発光装置１０１においては、透光部に対向する発光部の発光面の面積をできるだけ大きく確保することができ、湾曲して形成される透光部２５ｃからの光の放射も実現可能となっている。外縁部Ｒ１３，Ｒ１４の柔軟性を活用して、面発光素子１０Ａを電子基板３１上の配線パターンに容易に配線することも可能となっている。
【００３４】
［変形例］
以下、上述の実施の形態１および実施の形態２に適用可能な面発光素子の変形例について説明する。
【００３５】
（第１変形例）
図９を参照して、上述の各面発光素子は、４つの外縁部を備える。本変形例の面発光素子１０Ｂは、外縁部Ｒ１３（第１外縁部）および外縁部Ｒ１４（第２外縁部）の２つを備える。外縁部Ｒ１３，Ｒ１４は、発光部Ｒ１０を挟んで互いに反対側に位置している。外縁部Ｒ１３，Ｒ１４は、封止部材１７の長手方向に沿って一方の端部から他方の端部にまで平面視矩形状に延びる形状を有している。陽極用の電極取出部１８は、外縁部Ｒ１３の表面の略前面にわたって矩形状に形成されており、陰極用の電極取出部１９は、外縁部Ｒ１４の表面の略前面にわたって矩形状に形成されている。このような面発光素子１０Ｂが実施の形態１，２に適用される場合も、上記と同様の作用効果を得ることができる。
【００３６】
（第２変形例）
図１０を参照して、本変形例の面発光素子１０Ｃにおいては、外縁部Ｒ１３（第１外縁部）上に、陽極用の電極取出部１８および陰極用の電極取出部１９がそれぞれ形成され、外縁部Ｒ１４にも、陽極用の電極取出部１８および陰極用の電極取出部１９がそれぞれ形成される。本変形例では、１つの外縁部内に２つの電極取出部が形成されている。このような面発光素子１０Ｃが実施の形態１，２に適用される場合も、上記と同様の作用効果を得ることができる。１つの外縁部内には、同極性の電極取出部が形成されていてもよい。
【００３７】
（第３変形例）
図１１を参照して、本変形例の面発光素子１０Ｄにおいては、４つの外縁部が設けられる。外縁部Ｒ１３（Ｒ１３ａ），Ｒ１３（Ｒ１３ｂ）は、発光部Ｒ１０の外縁の１つに沿って並んで形成され、外縁部Ｒ１４（Ｒ１４ａ），Ｒ１４（Ｒ１４ｂ）は、発光部Ｒ１０の外縁の他の１つに沿って並んで形成される。外縁部Ｒ１３（Ｒ１３ａ），Ｒ１３（Ｒ１３ｂ）は、発光部Ｒ１０を挟んで外縁部Ｒ１４（Ｒ１４ａ），Ｒ１４（Ｒ１４ｂ）の反対側に位置している。外縁部Ｒ１３（Ｒ１３ａ），Ｒ１４（Ｒ１４ｂ）上には、陽極用の電極取出部１８が形成され、外縁部Ｒ１３（Ｒ１３ｂ），Ｒ１４（Ｒ１４ａ）上には、陰極用の電極取出部１９が形成されている。このような面発光素子１０Ｄが実施の形態１，２に適用される場合も、上記と同様の作用効果を得ることができる。
【００３８】
（第４変形例）
図１２を参照して、本変形例の面発光素子１０Ｅにおいては、２つの外縁部が設けられる。外縁部Ｒ１３（Ｒ１３ａ），Ｒ１３（Ｒ１３ｂ）は、発光部Ｒ１０の外縁の１つに沿って並んで形成されている。外縁部Ｒ１３（Ｒ１３ａ）上には、陽極用の電極取出部１８が形成され、外縁部Ｒ１３（Ｒ１３ｂ）上には、陰極用の電極取出部１９が形成されている。外縁部Ｒ１３（Ｒ１３ａ），Ｒ１３（Ｒ１３ｂ）は、いずれも平面視台形上の形状を有している。このような面発光素子１０Ｅが実施の形態１，２に適用される場合も、上記と同様の作用効果を得ることができる。
【００３９】
（第５変形例）
図１３を参照して、本変形例の面発光素子１０Ｆにおいては、２つの外縁部が設けられる。外縁部Ｒ１３（Ｒ１３ａ），Ｒ１３（Ｒ１３ｂ）は、発光部Ｒ１０の外縁の１つに沿って並んで形成されている。外縁部Ｒ１３（Ｒ１３ａ）上には、陽極用の電極取出部１８および陰極用の電極取出部１９が形成される。外縁部Ｒ１３（Ｒ１３ｂ）上には、他の陽極用の電極取出部１８および他の陰極用の電極取出部１９が形成されている。このような面発光素子１０Ｆが実施の形態１，２に適用される場合も、上記と同様の作用効果を得ることができる。
【００４０】
（第６変形例）
図１４を参照して、本変形例の面発光素子１０Ｇにおいては、４つの外縁部が設けられる。外縁部Ｒ１３（Ｒ１３ａ），Ｒ１３（Ｒ１３ｂ）は、発光部Ｒ１０の外縁の１つに沿って並んで形成され、外縁部Ｒ１４（Ｒ１４ａ），Ｒ１４（Ｒ１４ｂ）は、発光部Ｒ１０の外縁の他の１つに沿って並んで形成される。外縁部Ｒ１３（Ｒ１３ａ），Ｒ１３（Ｒ１３ｂ）は、発光部Ｒ１０を挟んで外縁部Ｒ１４（Ｒ１４ａ），Ｒ１４（Ｒ１４ｂ）の反対側に位置している。外縁部Ｒ１３（Ｒ１３ａ），Ｒ１４（Ｒ１４ｂ）上には、陽極用の電極取出部１８が形成され、外縁部Ｒ１３（Ｒ１３ｂ），Ｒ１４（Ｒ１４ａ）上には、陰極用の電極取出部１９が形成されている。
【００４１】
本変形例における外縁部Ｒ１３（Ｒ１３ａ），Ｒ１３（Ｒ１３ｂ）同士の間の間隔は、上述の第３変形例（図１１参照）におけるそれよりも広い。外縁部Ｒ１３（Ｒ１３ａ），Ｒ１４（Ｒ１４ｂ）同士の間の間隔は、上述の第３変形例（図１１参照）におけるそれよりも広い。このような面発光素子１０Ｇが実施の形態１，２に適用される場合も、上記と同様の作用効果を得ることができる。
【００４２】
（第７変形例）
図１５を参照して、本変形例の面発光素子１０Ｈにおいては、２つの外縁部が設けられる。外縁部Ｒ１３（Ｒ１３ａ），Ｒ１３（Ｒ１３ｂ）は、発光部Ｒ１０の外縁の１つに沿って並んで形成されている。外縁部Ｒ１３（Ｒ１３ａ）上には、陽極用の電極取出部１８が形成され、外縁部Ｒ１３（Ｒ１３ｂ）上には、陰極用の電極取出部１９が形成されている。外縁部Ｒ１３（Ｒ１３ａ），Ｒ１３（Ｒ１３ｂ）同士の間の間隔は、上述の第４変形例（図１２参照）におけるそれよりも広い。このような面発光素子１０Ｈが実施の形態１，２に適用される場合も、上記と同様の作用効果を得ることができる。
【００４３】
（第８変形例）
図１６を参照して、本変形例の面発光素子１０Ｊにおいては、４つの外縁部が設けられる。外縁部Ｒ１３（Ｒ１３ａ），Ｒ１３（Ｒ１３ｂ）は、発光部Ｒ１０の外縁（短辺）の１つに沿って並んで形成され、外縁部Ｒ１４（Ｒ１４ａ），Ｒ１４（Ｒ１４ｂ）は、発光部Ｒ１０の外縁（短辺）の他の１つに沿って並んで形成される。外縁部Ｒ１３（Ｒ１３ａ），Ｒ１３（Ｒ１３ｂ）は、発光部Ｒ１０を挟んで外縁部Ｒ１４（Ｒ１４ａ），Ｒ１４（Ｒ１４ｂ）の反対側に位置している。外縁部Ｒ１３（Ｒ１３ａ），Ｒ１４（Ｒ１４ｂ）上には、陽極用の電極取出部１８が形成され、外縁部Ｒ１３（Ｒ１３ｂ），Ｒ１４（Ｒ１４ａ）上には、陰極用の電極取出部１９が形成されている。このような面発光素子１０Ｊが実施の形態１，２に適用される場合も、上記と同様の作用効果を得ることができる。
【００４４】
（第９変形例）
図１７を参照して、本変形例の面発光素子１０Ｋにおいては、２つの外縁部が設けられる。外縁部Ｒ１３は、発光部Ｒ１０の外縁（短辺）の１つに沿って形成され、外縁部Ｒ１４は、発光部Ｒ１０の外縁（短辺）の他の１つに沿って並んで形成される。外縁部Ｒ１３は、発光部Ｒ１０を挟んで外縁部Ｒ１４の反対側に位置している。外縁部Ｒ１３上には、陽極用の電極取出部１８および陰極用の電極取出部１９が形成され、外縁部Ｒ１４上には、他の陽極用の電極取出部１８および他の陰極用の電極取出部１９が形成されている。このような面発光素子１０Ｋが実施の形態１，２に適用される場合も、上記と同様の作用効果を得ることができる。
【００４５】
（第１０変形例）
図１８を参照して、本変形例の面発光素子１０Ｌにおいては、２つの外縁部が設けられる。外縁部Ｒ１３（Ｒ１３ａ），Ｒ１３（Ｒ１３ｂ）は、発光部Ｒ１０の外縁（短辺）の１つに沿って並んで形成されている。外縁部Ｒ１３（Ｒ１３ａ）上には、陽極用の電極取出部１８が形成され、外縁部Ｒ１３（Ｒ１３ｂ）上には、陰極用の電極取出部１９が形成されている。このような面発光素子１０Ｌが実施の形態１，２に適用される場合も、上記と同様の作用効果を得ることができる。
【００４６】
（第１１変形例）
図１９を参照して、本変形例の面発光素子１０Ｍにおいては、４つの外縁部が設けられる。外縁部Ｒ１３（Ｒ１３ａ），Ｒ１３（Ｒ１３ｂ）は、発光部Ｒ１０の外縁の１つに沿って間隔を空けて形成され、外縁部Ｒ１４（Ｒ１４ａ），Ｒ１４（Ｒ１４ｂ）は、発光部Ｒ１０の外縁の他の１つに沿って間隔を空けて形成される。外縁部Ｒ１３（Ｒ１３ａ），Ｒ１３（Ｒ１３ｂ）は、発光部Ｒ１０を挟んで外縁部Ｒ１４（Ｒ１４ａ），Ｒ１４（Ｒ１４ｂ）の反対側に位置している。外縁部Ｒ１３（Ｒ１３ａ），Ｒ１４（Ｒ１４ｂ）上には、陽極用の電極取出部１８が形成され、外縁部Ｒ１３（Ｒ１３ｂ），Ｒ１４（Ｒ１４ａ）上には、陰極用の電極取出部１９が形成されている。
【００４７】
本変形例における外縁部Ｒ１３（Ｒ１３ａ），Ｒ１３（Ｒ１３ｂ）同士の間の間隔は、上述の第６変形例（図１４参照）におけるそれよりも広い。外縁部Ｒ１３（Ｒ１３ａ），Ｒ１４（Ｒ１４ｂ）同士の間の間隔は、上述の第６変形例（図１４参照）におけるそれよりも広い。このような面発光素子１０Ｍが実施の形態１，２に適用される場合も、上記と同様の作用効果を得ることができる。
【００４８】
（第１２変形例）
図２０を参照して、本変形例の面発光素子１０Ｎにおいては、２つの外縁部が設けられる。外縁部Ｒ１３は、発光部Ｒ１０の外縁の１つに沿って形成され、外縁部Ｒ１４は、発光部Ｒ１０の外縁の他の１つに沿って間隔を空けて形成される。外縁部Ｒ１３は、発光部Ｒ１０を挟んで外縁部Ｒ１４の反対側に位置している。外縁部Ｒ１３上には、陽極用の電極取出部１８および陰極用の電極取出部１９が形成され、外縁部Ｒ１４上には、他の陽極用の電極取出部１８および他の陰極用の電極取出部１９が形成されている。このような面発光素子１０Ｎが実施の形態１，２に適用される場合も、上記と同様の作用効果を得ることができる。
【００４９】
（第１３変形例）
図２１を参照して、本変形例の面発光素子１０Ｐは、上述の第１変形例（図９参照）の面発光素子の構成に加えて、貫通孔１３Ｈ，１４Ｈ（第１固定部）が設けられている。貫通孔１３Ｈ，１４Ｈは、これらの外縁部のうちの電極取出部１８，１９が設けられている部分を貫通するように設けられている。各外縁部は、貫通孔１３Ｈ，１４Ｈを介して筐体２０（図１参照）に固定される。このような面発光素子１０Ｐが実施の形態１，２に適用される場合も、上記と同様の作用効果を得ることができる。
【００５０】
（第１４変形例）
図２２を参照して、本変形例の面発光素子１０Ｑは、上述の第６変形例（図１４参照）の面発光素子の構成に加えて、貫通孔１３Ｈ，１４Ｈ（第１固定部）が設けられている。貫通孔１３Ｈ，１４Ｈは、これらの外縁部のうちの電極取出部１８，１９が設けられている部分を貫通するように設けられている。各外縁部は、貫通孔１３Ｈ，１４Ｈを介して筐体２０（図１参照）に固定される。このような面発光素子１０Ｑが実施の形態１，２に適用される場合も、上記と同様の作用効果を得ることができる。
【００５１】
（第１５変形例）
図２３を参照して、本変形例の面発光素子１０Ｒは、上述の第１１変形例（図１９参照）の面発光素子の構成に加えて、貫通孔１３Ｈ，１４Ｈ（第１固定部）が設けられている。貫通孔１３Ｈ，１４Ｈは、これらの外縁部のうちの電極取出部１８，１９が設けられている部分を貫通するように設けられている。各外縁部は、貫通孔１３Ｈ，１４Ｈを介して筐体２０（図１参照）に固定される。このような面発光素子１０Ｒが実施の形態１，２に適用される場合も、上記と同様の作用効果を得ることができる。
【００５２】
（第１６変形例）
図２４を参照して、本変形例の面発光素子１０Ｓは、上述の第１２変形例（図２０参照）の面発光素子の構成に加えて、貫通孔１３Ｈ，１４Ｈ（第２固定部）が設けられている。貫通孔１３Ｈ，１４Ｈは、これらの外縁部のうちの電極取出部１８，１９が設けられていない部分を貫通するように設けられている。各外縁部は、貫通孔１３Ｈ，１４Ｈを介して筐体２０（図１参照）に固定される。このような面発光素子１０Ｒが実施の形態１，２に適用される場合も、上記と同様の作用効果を得ることができる。
【００５３】
以上説明した発光装置は、透光部を有する筐体と、上記透光部に対向する矩形状の発光部、および、上記発光部の外側に形成された非発光部を含み、上記筐体内に配置された面発光素子と、上記筐体内に配置された電子機器と、を備え、上記非発光部は、表面に電極が設けられた可撓性を有する外縁部を含み、上記外縁部は、上記電極とともに上記発光部の発光面から遠ざかる方向に折り曲げられており、上記電極は、上記発光部と上記電子機器とを電気的に接続している。
【００５４】
好ましくは、上記発光部は、可撓性を有し、上記透光部の内周面の形状に沿うように折り曲げられている。
【００５５】
好ましくは、上記電極は、陽極用電極と陰極用電極とを含み、上記外縁部は、上記陽極用電極が設けられた第１外縁部と、上記陰極用電極が設けられた第２外縁部と、を含む。
【００５６】
好ましくは、上記第１外縁部には、他の上記陰極用電極がさらに設けられ、上記第２外縁部には、他の上記陽極用電極がさらに設けられる。
【００５７】
好ましくは、上記第１外縁部および上記第２外縁部は、上記発光部を挟んで互いに反対側に位置している。
【００５８】
好ましくは、上記外縁部は、上記外縁部の上記表面のうちの上記電極が設けられていない部分に少なくとも１つの第１固定部を有し、上記外縁部は、上記第１固定部を介して上記筐体に対して固定されている。
【００５９】
好ましくは、上記外縁部は、上記外縁部の上記表面のうちの上記電極が設けられている部分に少なくとも１つの第２固定部を有し、上記外縁部が上記第２固定部を介して上記電子機器に固定されることにより、上記電極は上記電子機器に電気的に接続される。
【００６０】
また、以上説明した面発光素子は、矩形状の発光部と、上記発光部の外側に形成された非発光部とを備え、上記非発光部は、可撓性を有する外縁部を含み、上記外縁部の表面には、上記外縁部とともに上記発光部の発光面から遠ざかる方向に折り曲げられた状態で、上記発光部と電子機器とを電気的に接続する電極が設けられている。
【００６１】
好ましくは、上記電極は、陽極用電極と陰極用電極とを含み、上記外縁部は、上記陽極用電極が設けられた第１外縁部と、上記陰極用電極が設けられた第２外縁部と、を含む。
【００６２】
好ましくは、上記第１外縁部には、他の上記陰極用電極がさらに設けられ、上記第２外縁部には、他の上記陽極用電極がさらに設けられる。
【００６３】
好ましくは、上記第１外縁部および上記第２外縁部は、上記発光部を挟んで互いに反対側に位置している。
【００６４】
以上のような構成を採用することにより、より狭いスペース内に容易に配置することが可能な面発光素子、およびそのような面発光素子を備えた発光装置を得ることができる。
【００６５】
以上、本発明に基づいた各実施の形態および各変形例について説明したが、今回開示された各実施の形態および各変形例はすべての点で例示であって制限的なものではない。上述の各実施の形態および各変形例は、組み合わされて実施されることも予定されている。本発明の技術的範囲は請求の範囲によって示され、請求の範囲と均等の意味および範囲内でのすべての変更が含まれることが意図される。
【符号の説明】
【００６６】
１０，１０Ａ，１０Ｂ，１０Ｃ，１０Ｄ，１０Ｅ，１０Ｆ，１０Ｇ，１０Ｈ，１０Ｊ，１０Ｋ，１０Ｌ，１０Ｍ，１０Ｎ，１０Ｐ，１０Ｑ，１０Ｒ，１０Ｓ  面発光素子、１１  透明基板、１１Ｓ  表面、１２  陽極、１３  正孔輸送層、１３Ｈ，１４Ｈ  貫通孔（固定部）、１４  有機層、１５  電子輸送層、１６  陰極、１７  封止部材、１７Ｓ  背面、１８  電極取出部（陽極用電極）、１９  電極取出部（陰極用電極）、２０  筐体、２１  カバー、２２  収容部、２３  底パネル、２３Ｔ  螺合穴、２４  周壁、２５，２５ａ，２５ｂ，２５ｃ  透光部、３０  表示ユニット、３１  電子基板（電子機器）、３２  内蔵機器、４０  固定具、１００，１０１  発光装置、Ｒ１０，Ｒ１０ａ，Ｒ１０ｂ，Ｒ１０ｃ  発光部、Ｒ１１，Ｒ１２  非発光部、Ｒ１３，Ｒ１４  外縁部、Ｓ１，Ｓ１ａ，Ｓ１ｂ，Ｓ１ｃ  発光面、Ｓ２，Ｓ３  非発光面。
【図１】
2014192544.tif 000003
【図２】
2014192544.tif 000004
【図３】
2014192544.tif 000005
【図４】
2014192544.tif 000006
【図５】
2014192544.tif 000007
【図６】
2014192544.tif 000008
【図７】
2014192544.tif 000009
【図８】
2014192544.tif 000010
【図９】
2014192544.tif 000011
【図１０】
2014192544.tif 000012
【図１１】
2014192544.tif 000013
【図１２】
2014192544.tif 000014
【図１３】
2014192544.tif 000015
【図１４】
2014192544.tif 000016
【図１５】
2014192544.tif 000017
【図１６】
2014192544.tif 000018
【図１７】
2014192544.tif 000019
【図１８】
2014192544.tif 000020
【図１９】
2014192544.tif 000021
【図２０】
2014192544.tif 000022
【図２１】
2014192544.tif 000023
【図２２】
2014192544.tif 000024
【図２３】
2014192544.tif 000025
【図２４】
2014192544.tif 000026
【国際調査報告】
2014192544.tif 000027
2014192544.tif 000028
2014192544.tif 000029
2014192544.tif 000030